(57)【特許請求の範囲】
【請求項１】
第１移動局が、無線基地局に対して、該無線基地局との間で設定されている無線基地局インタフェースを介して、データ信号を送信する工程と、
前記第１移動局が、第２移動局に対して、該第２移動局との間で設定されている移動局間インタフェースを介して、データ信号を送信する工程と、
前記第１移動局が、前記無線基地局に対して、前記無線基地局インタフェースにおける論理チャネルに対応する送信バッファに滞留しているデータ量を示す第１バッファステータスレポートを送信する工程と、
前記第１移動局が、前記無線基地局に対して、前記移動局間インタフェースにおける論理チャネルに対応する送信バッファに滞留しているデータ量を示す第２バッファステータスレポートを送信する工程と、
前記無線基地局が、受信した前記バッファステータスレポートに含まれる所定情報に基づいて、該バッファステータスレポートが前記第１バッファステータスレポート又は前記第２バッファステータスレポートのどちらであるかについて判定する工程とを有することを特徴とする移動通信方法。
【請求項２】
前記無線基地局が、前記無線基地局インタフェースにおける論理チャネルの識別情報及び前記移動局間インタフェースにおける論理チャネルの識別情報として、ＬＣＩＤ及びＬＧＰの少なくとも１つを割り当てる工程を有することを特徴とする請求項１に記載の移動通信方法。
【請求項３】
無線基地局であって、
移動局から、バッファステータスレポートを受信するように構成されている受信部を具備し、
前記受信部は、受信した前記バッファステータスレポートに含まれる所定情報に基づいて、該バッファステータスレポートが、前記移動局と前記無線基地局との間で設定されている無線基地局インタフェースにおける論理チャネルに対応する送信バッファに滞留しているデータ量を示す第１バッファステータスレポート、又は、該移動局と他の移動局との間で設定されている移動局間インタフェースにおける論理チャネルに対応する送信バッファに滞留しているデータ量を示す第２バッファステータスレポートのどちらであるかについて判定するように構成されていることを特徴とする無線基地局。
【請求項４】
前記無線基地局インタフェースにおける論理チャネルの識別情報及び前記移動局間インタフェースにおける論理チャネルの識別情報として、ＬＣＩＤ及びＬＧＰの少なくとも１つを割り当てるように構成されている割当部を具備することを特徴とする請求項３に記載の無線基地局。
【請求項５】
前記受信部は、受信した前記バッファステータスレポートに所定フラグが設定されている場合、該バッファステータスレポートが第２バッファステータスレポートであると判定するように構成されていることを特徴とする請求項３に記載の無線基地局。
【請求項６】
前記受信部は、受信した前記バッファステータスレポートに含まれている論理チャネルの識別情報が第１範囲内の値である場合、該バッファステータスレポートが第１バッファステータスレポートであると判定するように構成されており、
前記受信部は、受信した前記バッファステータスレポートに含まれている論理チャネルの識別情報が第２範囲内の値である場合、該バッファステータスレポートが第２バッファステータスレポートであると判定するように構成されていることを特徴とする請求項３に記載の無線基地局。
【請求項７】
移動局であって、
無線基地局に対して、該無線基地局との間で設定されている無線基地局インタフェースを介して、データ信号を送信し、他の移動局に対して、該他の移動局との間で設定されている移動局間インタフェースを介して、データ信号を送信するように構成されている送信部を具備しており、
前記送信部は、前記無線基地局に対して、前記無線基地局インタフェースにおける論理チャネルに対応する送信バッファに滞留しているデータ量を示す第１バッファステータスレポート、及び、前記移動局間インタフェースにおける論理チャネルに対応する送信バッファに滞留しているデータ量を示す第２バッファステータスレポートを送信するように構成されていることを特徴とする移動局。
【請求項８】
前記第２バッファステータスレポートには、所定フラグが設定されるように構成されていることを特徴とする請求項７に記載の移動局。
【発明の詳細な説明】
【技術分野】
【０００１】
本発明は、移動通信方法、無線基地局及び移動局に関する。
【背景技術】
【０００２】
Ｗ-ＣＤＭＡ（Ｗｉｄｅｂａｎｄ-Ｃｏｄｅ  Ｄｉｖｉｓｉｏｎ  Ｍｕｌｔｉｐｌｅ  Ａｃｃｅｓｓ）方式やＬＴＥ（Ｌｏｎｇ  Ｔｅｒｍ  Ｅｖｏｌｕｔｉｏｎ）方式等のセルラー方式の移動通信システムでは、複数の移動局ＵＥ同士の通信は、無線アクセスネットワーク装置やコアネットワーク装置等を介して行われるように構成されている。
【先行技術文献】
【非特許文献】
【０００３】
【非特許文献１】３ＧＰＰ  ＴＳ３６.３００
【発明の概要】
【発明が解決しようとする課題】
【０００４】
しかしながら、従来のセルラー方式の移動通信システム、例えば、ＬＴＥ方式の移動通信システムでは、無線基地局ｅＮＢは、移動局ＵＥと無線基地局ｅＮＢとの間の通信において用いられる送信バッファに滞留しているデータ量については知ることができるが、複数の移動局ＵＥ同士の通信において用いられる送信バッファに滞留しているデータ量について知ることができない。
【０００５】
したがって、無線基地局ｅＮＢは、複数の移動局ＵＥ同士の通信において用いられる送信バッファに滞留しているデータ量を考慮して、かかる通信を制御することができないという問題点があった。
【０００６】
そこで、本発明は、上述の課題に鑑みてなされたものであり、無線基地局に対して、移動局と無線基地局との間の通信において用いられる送信バッファに滞留しているデータ量とは別に、複数の移動局同士の通信において用いられる送信バッファに滞留しているデータ量についても通知することができる移動通信方法、無線基地局及び移動局を提供することを目的とする。
【課題を解決するための手段】
【０００７】
本発明の第１の特徴は、移動通信方法であって、第１移動局が、無線基地局に対して、該無線基地局との間で設定されている無線基地局インタフェースを介して、データ信号を送信する工程と、前記第１移動局が、第２移動局に対して、該第２移動局との間で設定されている移動局間インタフェースを介して、データ信号を送信する工程と、前記第１移動局が、前記無線基地局に対して、前記無線基地局インタフェースにおける論理チャネルに対応する送信バッファに滞留しているデータ量を示す第１バッファステータスレポートを送信する工程と、前記第１移動局が、前記無線基地局に対して、前記移動局間インタフェースにおける論理チャネルに対応する送信バッファに滞留しているデータ量を示す第２バッファステータスレポートを送信する工程と、前記無線基地局が、受信した前記バッファステータスレポートに含まれる所定情報に基づいて、該バッファステータスレポートが前記第１バッファステータスレポート又は前記第２バッファステータスレポートのどちらであるかについて判定する工程とを有することを要旨とする。
【０００８】
本発明の第２の特徴は、無線基地局であって、移動局から、バッファステータスレポートを受信するように構成されている受信部を具備し、前記受信部は、受信した前記バッファステータスレポートに含まれる所定情報に基づいて、該バッファステータスレポートが、前記移動局と前記無線基地局との間で設定されている無線基地局インタフェースにおける論理チャネルに対応する送信バッファに滞留しているデータ量を示す第１バッファステータスレポート、又は、該移動局と他の移動局との間で設定されている移動局間インタフェースにおける論理チャネルに対応する送信バッファに滞留しているデータ量を示す第２バッファステータスレポートのどちらであるかについて判定するように構成されていることを要旨とする。
【０００９】
本発明の第３の特徴は、移動局であって、無線基地局に対して、該無線基地局との間で設定されている無線基地局インタフェースを介して、データ信号を送信し、他の移動局に対して、該他の移動局との間で設定されている移動局間インタフェースを介して、データ信号を送信するように構成されている送信部を具備しており、前記送信部は、前記無線基地局に対して、前記無線基地局インタフェースにおける論理チャネルに対応する送信バッファに滞留しているデータ量を示す第１バッファステータスレポート、及び、前記移動局間インタフェースにおける論理チャネルに対応する送信バッファに滞留しているデータ量を示す第２バッファステータスレポートを送信するように構成されていることを要旨とする。
【発明の効果】
【００１０】
以上説明したように、本発明によれば、無線基地局に対して、移動局と無線基地局との間の通信において用いられる送信バッファに滞留しているデータ量とは別に、複数の移動局同士の通信において用いられる送信バッファに滞留しているデータ量についても通知することができる移動通信方法、無線基地局及び移動局を提供することができる。
【図面の簡単な説明】
【００１１】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局によるＬＣ及びＬＧＰの割当方法の一例を示す図である。
【図４】本発明の第１の実施形態に係る移動局の機能ブロック図である。
【図５】本発明の第１の実施形態に係る移動通信システムの動作を示すシーケンス図である。
【発明を実施するための形態】
【００１２】
（本発明の第１の実施形態に係る移動通信システム）
図１乃至図５を参照して、本発明の第１の実施形態に係る移動通信システムについて説明する。
【００１３】
本実施形態に係る移動通信システムは、ＬＴＥ方式の移動通信システムであって、図１に示すように、移動管理ノードＭＭＥ（Ｍｏｂｉｌｉｔｙ  Ｍａｎａｇｅｍｅｎｔ  Ｅｎｔｉｔｙ）と、移動管理ノードＭＭＥ配下に接続されている無線基地局ｅＮＢとを具備している。なお、本発明は、ＬＴＥ方式以外のセルラー方式の移動通信システムにも適用可能である。
【００１４】
ここで、無線基地局ｅＮＢと移動局ＵＥ＃１/ＵＥ＃２との間では、Ｕｕインタフェースを介してデータ信号が送受信されるように構成されており、移動局ＵＥ＃１と移動局ＵＥ＃２との間では、Ｕｄインタフェースを介してデータ信号が送受信されるように構成されている。
【００１５】
すなわち、移動局ＵＥ＃１は、移動局ＵＥ＃２との間で、無線基地局ｅＮＢを介して（Ｕｕインタフェースを介して）データ信号を送受信することもできるし、無線基地局ｅＮＢを介さないで（Ｕｄインタフェースを介して）データ信号を送受信することもできる。
【００１６】
同様に、移動局ＵＥ＃２は、移動局ＵＥ＃１との間で、無線基地局ｅＮＢを介して（Ｕｕインタフェースを介して）データ信号を送受信することもできるし、無線基地局ｅＮＢを介さないで（Ｕｄインタフェースを介して）データ信号を送受信することもできる。
【００１７】
図２に示すように、無線基地局ｅＮＢは、割当部１１と、送信部１２と、受信部１３とを具備している。
【００１８】
割当部１１は、移動局ＵＥ＃１や移動局ＵＥ＃２に対して、Ｕｕインタフェースにおける論理チャネルの識別情報及びＵｄインタフェースにおける論理チャネルの識別情報を割り当てるように構成されている。
【００１９】
ここで、例えば、割当部１１は、論理チャネルの識別情報として、ＬＣＩＤ（Ｌｏｇｉｃａｌ  Ｃｈａｎｎｅｌ  Ｉｄｅｎｔｉｔｙ）や、ＬＧＰ（Ｌｏｇｉｃａｌ  Ｇｒｏｕｐ  Ｐｒｉｏｒｉｔｙ）等を割り当てるように構成されている。
【００２０】
図３の例では、割当部１１は、Ｕｕインタフェースにおける論理チャネルの識別情報として、ＬＣ＃１〜ＬＣ＃３を割り当て、Ｕｄインタフェースにおける論理チャネルの識別情報として、ＬＣ＃１１〜ＬＣ＃１３を割り当てるように構成されている。
【００２１】
さらに、図３の例では、割当部１１は、ＬＣ＃１及びＬＣ＃２をＬＧＰ＃１に属するように割り当て、ＬＣ＃３をＬＧＰ＃２に属するように割り当て、ＬＣ＃１１及びＬＣ＃１２をＬＧＰ＃１１に属するように割り当て、ＬＣ＃１３をＬＧＰ＃１２に属するように割り当てるように構成されている。
【００２２】
送信部１２は、移動局ＵＥ＃１及び移動局ＵＥ＃２に対して、Ｕｕインタフェースを介して、データ信号や制御信号を送信するように構成されている。
【００２３】
ここで、送信部１２は、移動局ＵＥ＃１及び移動局ＵＥ＃２に対して、Ｕｕインタフェースを介して、割当部１１によって割り当てられたＵｕインタフェースにおける論理チャネルの識別情報（ＬＣＩＤ又はＬＧＰ）及びＵｄインタフェースにおける論理チャネルの識別情報（ＬＣＩＤ又はＬＧＰ）を通知するための通知信号を送信するように構成されている。
【００２４】
受信部１３は、移動局ＵＥ＃１及び移動局ＵＥ＃２から、Ｕｕインタフェースを介して、データ信号や制御信号を受信するように構成されている。
【００２５】
具体的には、受信部１３は、移動局ＵＥ＃１及び移動局ＵＥ＃２から、Ｕｕインタフェースを介して、ＢＳＲ＃１及びＢＳＲ＃２を受信するように構成されている。
【００２６】
ここで、ＢＳＲ＃１は、Ｕｕインタフェースにおける論理チャネルに対応する送信バッファに滞留しているデータ量を示すＢＳＲであり、ＢＳＲ＃２は、Ｕｄインタフェースにおける論理チャネルに対応する送信バッファに滞留しているデータ量を示すＢＳＲである。
【００２７】
また、受信部１３は、受信したＢＳＲに含まれる所定情報に基づいて、かかるＢＳＲがＢＳＲ＃１又はＢＳＲ＃２のどちらであるかについて判定するように構成されている。
【００２８】
例えば、受信部１３は、受信したＢＳＲに所定フラグ（Ｆｌａｇ）が設定されている場合、かかるＢＳＲがＢＳＲ＃２であると判定するように構成されていてもよい。
【００２９】
また、受信部１３は、受信したＢＳＲに含まれている論理チャネルの識別情報（ＬＣＩＤ又はＬＧＰ）が第１範囲内の値である場合、かかるＢＳＲがＢＳＲ＃１であると判定するように構成されており、受信したＢＳＲに含まれている論理チャネルの識別情報（ＬＣＩＤ又はＬＧＰ）が第２範囲内の値である場合、かかるＢＳＲがＢＳＲ＃２であると判定するように構成されていてもよい。
【００３０】
また、受信部１３は、受信したＢＳＲに含まれているプロトコルヘッダ情報（例えば、ＭＡＣ  ＰＤＵ種別）に基づいて、かかるＢＳＲがＢＳＲ＃２であると判定するように構成されていてもよい。
【００３１】
移動局ＵＥ＃１の構成及び移動局ＵＥ＃２の構成は、基本的に同一であるため、以下、代表して、移動局ＵＥ＃１の構成について説明する。
【００３２】
図２に示すように、移動局ＵＥ＃１は、受信部２１と、ＢＳＲ生成部２２と、送信部２３とを具備している。
【００３３】
受信部２１は、無線基地局ｅＮＢから、Ｕｕインタフェースを介して、データ信号や制御信号を受信するように構成されており、移動局ＵＥ＃２から、Ｕｄインタフェースを介して、データ信号を受信するように構成されている。
【００３４】
例えば、受信部２１は、無線基地局ｅＮＢから、Ｕｕインタフェースにおける論理チャネルの識別情報（ＬＣＩＤ又はＬＧＰ）及びＵｄインタフェースにおける論理チャネルの識別情報（ＬＣＩＤ又はＬＧＰ）を通知するための通知信号を受信するように構成されていてもよい。
【００３５】
ＢＳＲ生成部２２は、所定タイミングで、上述のＢＳＲ＃１及びＢＳＲ＃２を生成するように構成されている。
【００３６】
ここで、ＢＳＲ生成部２２は、上述のＢＳＲ＃１及びＢＳＲ＃２に対して、それぞれ、Ｕｕインタフェースにおける論理チャネルの識別情報（ＬＣＩＤ又はＬＧＰ）及びＵｄインタフェースにおける論理チャネルの識別情報（ＬＣＩＤ又はＬＧＰ）を含めるように構成されている。
【００３７】
また、ＢＳＲ生成部２２は、ＢＳＲ＃２に対して、所定フラグを設定するように構成されていてもよい。
【００３８】
送信部２３は、無線基地局ｅＮＢに対して、Ｕｕインタフェースを介して、データ信号や制御信号を送信するように構成されており、移動局ＵＥ＃２に対して、Ｕｄインタフェースを介して、データ信号を送信するように構成されている。
【００３９】
ここで、送信部２３は、無線基地局ｅＮＢに対して、Ｕｕインタフェースを介して、所定タイミングで、ＢＳＲ生成部２２によって生成されたＢＳＲ＃１及びＢＳＲ＃２を送信するように構成されている。
【００４０】
なお、ＢＳＲ＃１を生成するタイミング及びＢＳＲ＃２を生成するタイミングは、同じであってもよいし、異なっていてもよい。また、ＢＳＲ＃１を送信するタイミング及びＢＳＲ＃２を送信するタイミングは、同じであってもよいし、異なっていてもよい。
【００４１】
所定タイミングは、ＬＧＰに基づくプライオリティの高い論理チャネルにおいて送信すべき新たなデータが発生した場合や、送信バッファに滞留しているデータ量が所定値以上変化した場合や、前回ＢＳＲを送信してから所定時間が経過した場合等であってもよい。
【００４２】
また、所定タイミングは、Ｕｕインタフェースの上りリンクにおける送信割り当てが発生したタイミングであってもよい。
【００４３】
特に、送信すべきデータが、上りリンクにおける送信用に割り当てられたリソースに対して詰め込まれた結果、ＢＳＲを含める十分な領域が余った場合に、ＢＳＲが生成されて含められてもよい。
【００４４】
以下、図５を参照して、本実施形態に係る移動通信システムにおいて、移動局ＵＥ＃１と移動局ＵＥ＃２との間でＵｄインタフェースを介したデータ信号の送受信が行われている場合の動作について説明する。
【００４５】
図５に示すように、ステップＳ１００１において、無線基地局ｅＮＢは、移動局ＵＥ＃１と移動局ＵＥ＃２との間でＵｄインタフェースを介したデータ信号の送受信を開始する手順において、移動局ＵＥ＃１及び移動局ＵＥ＃２に対して、Ｕｕインタフェースにおける論理チャネルの識別情報（ＬＣＩＤ又はＬＧＰ）及びＵｄインタフェースにおける論理チャネルの識別情報（ＬＣＩＤ又はＬＧＰ）を割り当て通知する。
【００４６】
この後、移動局ＵＥ＃１は、ステップＳ１００２ａに示すように、無線基地局ｅＮＢに対するデータ信号の送信を開始し、ステップＳ１００２ｂに示すように、移動局ＵＥ＃２に対するデータ信号の送信を開始する。
【００４７】
ここで、移動局ＵＥ＃１は、所定タイミングで、無線基地局ｅＮＢに対して、ステップＳ１００３ａに示すように、ＢＳＲ＃１を送信すると共に、ステップＳ１００３ｂに示すように、ＢＳＲ＃２を送信する。
【００４８】
同様に、移動局ＵＥ＃２は、ステップＳ１１０２ａに示すように、無線基地局ｅＮＢに対するデータ信号の送信を開始し、ステップＳ１１０２ｂに示すように、移動局ＵＥ＃１に対するデータ信号の送信を開始する。
【００４９】
ここで、移動局ＵＥ＃２は、所定タイミングで、無線基地局ｅＮＢに対して、ステップＳ１１０３ａに示すように、ＢＳＲ＃１を送信すると共に、ステップＳ１１０３ｂに示すように、ＢＳＲ＃２を送信する。
【００５０】
ステップＳ１２００において、無線基地局ｅＮＢは、移動局ＵＥ＃１及び移動局ＵＥ＃２から受信したＢＳＲ＃１及びＢＳＲ＃２に基づいて、移動局ＵＥ＃１と移動局ＵＥ＃２との間の通信の制御処理を行う。
【００５１】
ここで、無線基地局ｅＮＢは、かかるＢＳＲ＃１及びＢＳＲ＃２に基づいて、移動局ＵＥ＃１と移動局ＵＥ＃２との間の通信におけるスケジューリング処理を行ってもよい。
【００５２】
例えば、無線基地局ｅＮＢは、かかるＢＳＲ＃１及びＢＳＲ＃２に基づいて、移動局ＵＥ＃１と移動局ＵＥ＃２との間の通信を、Ｕｕインタフェースを介して（すなわち、無線基地局ｅＮＢを介して）行うべきか、或いは、Ｕｄインタフェースを介して（すなわち、無線基地局ｅＮＢを介することなく）行うべきかについて決定してもよい。
【００５３】
本発明の第１の実施形態に係る移動通信システムによれば、移動局ＵＥ＃１及び移動局ＵＥ＃２が、無線基地局ｅＮＢに対して、ＢＳＲ＃１に加えて、ＢＳＲ＃２を送信するように構成されているため、無線基地局ｅＮＢは、ＢＳＲ＃１だけでなく、ＢＳＲ＃２の内容を考慮して、移動局ＵＥ＃１と移動局ＵＥ＃２との間の通信を制御することができる。
【００５４】
以上に述べた本実施形態の特徴は、以下のように表現されていてもよい。
【００５５】
本実施形態の第１の特徴は、移動通信方法であって、移動局ＵＥ＃１（第１移動局）が、無線基地局ｅＮＢに対して、無線基地局ｅＮＢとの間で設定されているＵｕインタフェース（無線基地局インタフェース）を介して、データ信号を送信する工程と、移動局ＵＥ＃１が、移動局ＵＥ＃２（第２移動局）に対して、移動局ＵＥ＃２との間で設定されているＵｄインタフェース（移動局間インタフェース）を介して、データ信号を送信する工程と、移動局ＵＥ＃１が、無線基地局ｅＮＢに対して、Ｕｕインタフェースにおける論理チャネルに対応する送信バッファに滞留しているデータ量を示すＢＳＲ＃１（第１バッファステータスレポート）を送信する工程と、移動局ＵＥ１が、無線基地局ｅＮＢに対して、Ｕｄインタフェースにおける論理チャネルに対応する送信バッファに滞留しているデータ量を示すＢＳＲ＃２（第２バッファステータスレポート）を送信する工程と、無線基地局ｅＮＢが、受信したＢＳＲに含まれる所定情報に基づいて、ＭＳＲ＃１とＢＳＲ＃２とを識別する工程とを有することを要旨とする。
【００５６】
本実施形態の第１の特徴において、無線基地局ｅＮＢが、Ｕｕインタフェースにおける論理チャネルの識別情報及びＵｄインタフェースにおける論理チャネルの識別情報として、ＬＣＩＤ及びＬＧＰの少なくとも１つを割り当てる工程を有してもよい。
【００５７】
本実施形態の第２の特徴は、無線基地局ｅＮＢであって、移動局ＵＥから、ＢＳＲを受信するように構成されている受信部１３を具備し、受信部１３は、受信したＢＳＲに含まれる所定情報に基づいて、かかるＢＳＲがＢＳＲ＃１又はＢＳＲ＃２のどちらであるかについて判定するように構成されていることを要旨とする。
【００５８】
本実施形態の第２の特徴において、Ｕｕインタフェースにおける論理チャネルの識別情報及びＵｄインタフェースにおける論理チャネルの識別情報として、ＬＣＩＤ及びＬＧＰの少なくとも１つを割り当てるように構成されている割当部１１を具備してもよい。
【００５９】
本実施形態の第２の特徴において、受信部１３は、受信したＢＳＲに所定フラグが設定されている場合、かかるＢＳＲがＢＳＲ＃２であると判定するように構成されていてもよい。
【００６０】
本実施形態の第２の特徴において、受信部１３は、受信したＢＳＲに含まれている論理チャネルの識別情報（ＬＣＩＤ又はＬＧＰ）が第１範囲内の値である場合、かかるＢＳＲがＢＳＲ＃１であると判定するように構成されており、受信部１３は、受信したＢＳＲに含まれている論理チャネルの識別情報（ＬＣＩＤ又はＬＧＰ）が第２範囲内の値である場合、かかるＢＳＲがＢＳＲ＃２であると判定するように構成されていてもよい。
【００６１】
本実施形態の第３の特徴は、移動局ＵＥ＃１であって、無線基地局ｅＮＢに対して、Ｕｕインタフェースを介して、データ信号を送信し、他の移動局ＵＥ＃２に対して、Ｕｄインタフェースを介して、データ信号を送信するように構成されている送信部２３を具備し、送信部２３は、無線基地局ｅＮＢに対して、Ｕｕインタフェースにおける論理チャネルに対応する送信バッファに滞留しているデータ量を示すＢＳＲ＃１、及び、Ｕｄインタフェースにおける論理チャネルに対応する送信バッファに滞留しているデータ量を示すＢＳＲを送信するように構成されていることを要旨とする。
【００６２】
本実施形態の第３の特徴において、ＢＳＲ＃２には、所定フラグが設定されるように構成されていてもよい。
【００６３】
なお、上述の無線基地局ｅＮＢや移動局ＵＥ等の動作は、ハードウェアによって実施されてもよいし、プロセッサによって実行されるソフトウェアモジュールによって実施されてもよいし、両者の組み合わせによって実施されてもよい。
【００６４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ等内に設けられていてもよい。また、かかる記憶媒体及びプロセッサは、ディスクリートコンポーネントとして無線基地局ｅＮＢや移動局ＵＥ等内に設けられていてもよい。
【００６６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６７】
ＵＥ…移動局
ｅＮＢ…無線基地局
１１…割当部
１２、２３…送信部
１３、２１…受信部
２２…ＢＳＲ生成部
【図１】
0005318151.tif 000002
【図２】
0005318151.tif 000003
【図３】
0005318151.tif 000004
【図４】
0005318151.tif 000005
【図５】
0005318151.tif 000006